(57)【要約】【課題】連窓方立同士の間の目地巾を調整して連結する作業効率を向上させることができ、かつ優れた意匠性を実現できる。【解決手段】複層ガラス３を支持する隣り合う連窓方立２、２同士を連結する調整部材４を有し、調整部材４は、連窓方立２、２同士の間で、複層ガラス３よりも屋内側に配置されている。【選択図】図１
2019173432.tif 000002
【特許請求の範囲】
【請求項１】
ガラスが嵌め込まれた窓ユニットを支持する隣り合う連窓方立同士を連結する調整部材を有する連窓構造の目地巾調整機構であって、
前記調整部材は、前記連窓方立同士の間で、前記ガラスよりも屋内側に配置されていることを特徴とする連窓構造の目地巾調整機構。
【請求項２】
前記調整部材は、前記連窓方立の屋内側面よりも屋外側に位置している請求項１に記載の連窓構造の目地巾調整機構。
【請求項３】
一方の前記連窓方立には、他方の前記連窓方立側に向けて突出する突起が形成され、
前記調整部材には、掛止部が設けられ、
前記調整部材は、前記掛止部を前記突起に係止させた状態で、前記一方の連窓方立と前記他方の連窓方立の間に配置されている請求項１又は２に記載の連窓構造の目地巾調整機構。
【請求項４】
前記調整部材は、前記連窓方立同士の間で屋内外方向に移動可能に設けられ、かつ屋内外方向の所定連結位置で前記連窓方立に固定可能に設けられている請求項１乃至３のいずれか１項に記載の連窓構造の目地巾調整機構。
【請求項５】
前記調整部材の屋内側には、屋内外方向を遮断するカバー部材が設けられている請求項１乃至４のいずれか１項に記載の連窓構造の目地巾調整機構。
【請求項６】
隣り合う一対の窓ユニットを並設して、連窓方立を構築する工程と、
前記連窓方立同士を連結するための調整部材を、前記連窓方立同士の間に屋内側から差し込み、前記連窓方立同士の間で、かつ前記窓ユニットのガラスよりも屋内側の位置に仮置きする工程と、
前記隣り合う連窓方立を所定の目地巾で位置決めする工程と、
位置決めされた前記隣り合う連窓方立に前記調整部材を係止させて、前記調整部材の位置を調整して前記連窓方立に固定する工程と、
を有することを特徴とする連窓構造の目地巾調整方法。
【発明の詳細な説明】
【技術分野】
【０００１】
本発明は、連窓構造の目地巾調整機構、及び目地巾調整方法に関する。
【背景技術】
【０００２】
従来、カーテンウォール等の四方を枠組みした枠体に対してパネル体が納められたサッシ枠として、例えば特許文献１に示されるような、ガラスが嵌め込まれた窓ユニットを支持する隣り合う連窓方立が設けられた連窓構造のものが知られている。
このような連窓構造では、製作誤差などを目地巾で調整することを目的として、隣り合う連窓方立同士を、連窓方立同士の間の目地巾を屋外側から調整することを可能とした機構が設けられたものがある。この場合には、連窓方立の屋内側は、隣り合う方立の形材同士を室内外に重ね合わせて屋内側から目地が見えないように形成されている。
【先行技術文献】
【特許文献】
【０００３】
【特許文献１】特開２０１７−５７７１７号公報
【発明の概要】
【発明が解決しようとする課題】
【０００４】
しかしながら、従来の目地巾を調整できる機構を設けた連窓構造では、隣り合う連窓方立同士を連結する場合に、先ず室内側でねじ止めをした後に、屋外側に回って屋外側から目地巾を調整するための部品を挿入する必要があった。そのため、屋外側による作業が発生し、時間と手間がかかり作業効率が悪いという問題があった。
また、従来の場合には、屋内側は方立同士によって全面にわたってフラットな平面になっていることから、よりシャープに見えるようなデザインが求められており、意匠性の点で改善の余地があった。
【０００５】
本発明は、上述する問題点に鑑みてなされたもので、連窓方立同士の間の目地巾を調整して連結する作業効率を向上させることができ、かつ優れた意匠性を実現できる連窓構造の目地巾調整機構、及び目地巾調整方法を提供することを目的とする。
【課題を解決するための手段】
【０００６】
上記目的を達成するため、本発明に係る連窓構造の目地巾調整機構は、ガラスが嵌め込まれた窓ユニットを支持する隣り合う連窓方立同士を連結する調整部材を有する連窓構造の目地巾調整機構であって、前記調整部材は、前記連窓方立同士の間で、前記ガラスよりも屋内側に配置されていることを特徴としている。
【０００７】
本発明によれば、連窓方立同士の間の屋内側に目地巾を調整できる調整部材が配置されるので、屋内側からのみで目地巾を調整することができる。そのため、連窓方立の屋外側に回り込んで目地巾を調整して双方の連窓方立同士を連結するという手間と時間のかかる作業が不要となるので、作業効率を向上させることができる。
また、本発明の構成によれば、ガラスよりも屋内側に目地を形成させた状態で、隣り合う連窓方立を配置することができる。すなわち、目地が連窓方立の屋内側の内側面まで配置される構成となるため、屋内側から見て隣り合う連窓方立のそれぞれの屋内側の内側面と目地の隙間が見える状態となり、隣り合って連結される連窓方立がシャープに見える印象をもたせることができ、意匠性の向上を図ることができる。
【０００８】
また、本発明に係る連窓構造の目地巾調整機構は、前記調整部材が、前記連窓方立の屋内側面よりも屋外側に位置していることを特徴としてもよい。
【０００９】
この場合には、調整部材が連窓方立の屋内側面よりも屋外側に配置される。すなわち、隣り合って連結される連窓方立の内側面同士の間に、屋外側に凹む凹部が形成されるので、内側面のうち連窓方立同士が対向する周縁部がより明瞭に見えるようになり、意匠性をより向上させることができる。
【００１０】
また、本発明に係る連窓構造の目地巾調整機構は、一方の前記連窓方立には、他方の前記連窓方立側に向けて突出する突起が形成され、前記調整部材には、掛止部が設けられ、前記調整部材は、前記掛止部を前記突起に係止させた状態で、前記一方の連窓方立と前記他方の連窓方立の間に配置されていることを特徴としてもよい。
【００１１】
この場合には、隣り合う連窓方立同士を所定の目地巾で配置した後に、調整部材の掛止部を一方の連窓方立に形成された突起に引っ掛けて係止することができる。そして、掛止部を突起に係止させた状態で連窓方立同士の間に調整部材を配置させることができ、その後に、調整部材によって所定の目地巾に調整された連窓方立同士を連結することができるから、作業を簡単に行うことができる。
【００１２】
また、本発明に係る連窓構造の目地巾調整機構は、前記調整部材が、前記連窓方立同士の間で屋内外方向に移動可能に設けられ、かつ屋内外方向の所定連結位置で前記連窓方立に固定可能に設けられていることを特徴としてもよい。
【００１３】
この場合には、調整部材の屋内外方向へ前後移動させることで、隣り合う連窓方立同士の間を所定の目地巾の位置で位置決めして固定することができる。
【００１４】
また、本発明に係る連窓構造の目地巾調整機構は、前記調整部材の屋内側には、屋内外方向を遮断するカバー部材が設けられていることを特徴としてもよい。
【００１５】
この場合には、屋内側から調整部材が直接見えてしまうことがなく、カバー部材によって隠された状態となるので、見映えが良好となるうえ、調整部材に屋内側から直接触れることがないので、誤って調整部材による連窓方立同士の連結状態を解除してしまうことを防止できる。
【００１６】
また、本発明に係る連窓構造の目地巾調整方法は、隣り合う一対の窓ユニットを並設して、連窓方立を構築する工程と、前記連窓方立同士を連結するための調整部材を、前記連窓方立同士の間に屋内側から差し込み、前記連窓方立同士の間で、かつ前記窓ユニットのガラスよりも屋内側の位置に仮置きする工程と、前記隣り合う連窓方立を所定の目地巾で位置決めする工程と、位置決めされた前記隣り合う連窓方立に前記調整部材を係止させて、前記調整部材の位置を調整して前記連窓方立に固定する工程と、を有することを特徴としている。
【００１７】
本発明によれば、調整部材を連窓方立同士の間で、かつ窓ユニットのガラスよりも屋内側の位置に仮置きしておくことができる。そして、所定の目地巾に調整された隣り合う連窓方立同士に対して調整部材を位置決めして係止させた後、その調整部材を例えばねじ部材等により屋内側から固定することができる。このように、本発明によれば、連窓方立同士の間の屋内側に目地巾を調整できる調整部材が配置されるので、屋内側からのみで目地巾を調整することができる。そのため、連窓方立の屋外側に回り込んで目地巾を調整して双方の連窓方立同士を連結するという手間と時間のかかる作業が不要となるので、作業効率を向上させることができる。
また、本発明では、ガラスよりも屋内側に目地を形成させた状態で、隣り合う連窓方立を配置することができる。すなわち、目地が連窓方立の屋内側の内側面まで配置される構成となるため、屋内側から見て隣り合う連窓方立のそれぞれの屋内側の内側面の隙間が見える状態となり、隣り合って連結される連窓方立がシャープに見える印象をもたせることができ、意匠性の向上を図ることができる。
【発明の効果】
【００１８】
本発明の連窓構造の目地巾調整機構、及び目地巾調整方法によれば、連窓方立同士の間の目地巾を調整して連結する作業効率を向上させることができ、かつ優れた意匠性を実現できる。
【図面の簡単な説明】
【００１９】
【図１】本発明の実施形態によるカーテンウォールの要部を示した水平断面図であって、連窓方立同士の間の目地に調整部材が設けられた構成を示す図である。
【図２】図１に示す調整部材を拡大した水平断面図である。
【図３】連窓方立の方立形材を外壁側から見た側面図である。
【図４】調整部材の構成を示す分解斜視図である。
【図５】調整部材における位置決め部材を取り付けた支持部材の構成を示す側面図である。
【図６】支持部材を上下方向の一方（図５の紙面に向かって左側）から見た図である。
【図７】調整部材を使用して目地巾を調整する方法を説明する図２に対応した水平断面図であって、（ａ）は目地巾が最小の場合の図、（ｂ）は目地巾が最大の場合の図である。
【図８】調整部材を目地内に仮置きする状態を説明するための図であって、方立形材を外壁側から見た側面図である。
【図９】変形例によるカーテンウォールの要部を示した水平断面図であって、連窓方立同士の間の目地に調整部材が設けられた構成を示す図である。
【発明を実施するための形態】
【００２０】
以下、本発明の一実施形態による連窓構造の目地巾調整機構、及び目地巾調整方法の一例について、図面に基づいて説明する。
【００２１】
図１に示す本実施形態の目地巾調整機構は、建物の連窓構造をなすカーテンウォール１に設けられているサッシ枠のうち複層ガラス３（窓ユニット）を支持する隣り合う一対の連窓方立２、２同士の間に設けられている。なお、本実施形態では、サッシの枠体（縦枠）が連窓方立として構成されている。目地巾調整機構（以下、調整部材４という）は、隣り合う一対の連窓方立２、２同士を所定の目地巾を調整した状態で連結する機能を有している。
【００２２】
以下の説明において、屋外側と屋内側とを結ぶ方向を屋内外方向Ｘ１とし、サッシ枠が嵌め込まれる開口部が躯体を貫通する方向から見た際の左側と右側を結ぶ水平方向を左右方向Ｘ２とする。また、複層ガラス３や連窓方立２を構成する各部材や部品などは、前記開口部に設けられている姿勢であるものとして、その姿勢における屋内外方向Ｘ１および左右方向Ｘ２を用いて説明する。
【００２３】
連窓方立２は、建物の上下方向Ｘ３に沿って設けられ、複層ガラス３の左右方向Ｘ２の側縁部３ａを支持するとともに、建物の柱、梁、床等の躯体に対して、図示しないアングル部材等を用いて固定される。
ここで、本実施形態では、左右方向Ｘ２に隣り合う連窓方立２、２は、それぞれ左右対称形状であり、ほぼ同じ形状のものを採用した例を示している。なお、左右で異なる構成については、詳細に説明する。
【００２４】
連窓方立２は、方立形材２１と、方立形材２１の屋外側に一体的に配置されるガラス取付部２２と、を有している。方立形材２１とガラス取付部２２は、例えば、アルミニウム等の金属材料から構成され、金属材料を押出成形等により形成することで得られる。方立形材２１は、建物の躯体に対して取り付け可能となっている。
【００２５】
ガラス取付部２２には、上述したように複層ガラス３が取り付けられる。ガラス取付部２２は、連窓方立２において左右方向Ｘ２の一方に凹んだ凹溝部２２ａを有し、この凹溝部２２ａ内で弾性体３０を介して複層ガラス３の左右方向Ｘ２の側縁部３ａを保持している。
【００２６】
複層ガラス３は、ガラス取付部２２の凹溝部２２ａ内にその側縁部３ａが配置される。複層ガラス３は、側縁部３ａにおいて構造シーラント３１とデシカント３２とによって２枚のガラスが接着された構造となっている。
【００２７】
複層ガラス３の支持構造は、複層ガラス３の両面側に弾性体からなるバックアップ材３０が配置され、さらに複層ガラス３の面内方向でバックアップ材３０の内側に接した状態でシール材３３が設けられている。すなわち、複層ガラス３は、ガラス取付部２２内でバックアップ材３０とシール材３３によって屋内外両側から挟まれた状態で保持されている。ここで、バックアップ材３０は、例えば発泡性ポリエチレンフォーム等が採用されている。
【００２８】
方立形材２１は、ガラス取付部２２の屋内側に設けられている。方立形材２１は、複層ガラス３の両側縁部３ａを支持する一対の連窓方立２、２が一方から他方を向く内側に配置される内壁２１１と、内壁２１１の外側に位置する外壁２１２と、内壁２１１と外壁２１２の屋外側端部同士を連結する屋外側壁２１３と、内壁２１１と外壁２１２の屋内側端部同士を連結する屋内側壁２１４と、により四方を枠状に形成した構成となっている。
隣り合う方立形材２１、２１は、それぞれの外壁２１２、２１２同士が間隔をあけた状態で対向して配置され、これにより目地Ｍを形成している。連窓方立２、２同士の間には、調整部材４が設けられ、屋内外方向Ｘ１の屋内端部及び屋外端部がそれぞれシール材２６Ａ、２６Ｂによって閉塞されている。
【００２９】
方立形材２１は、仕切壁２１５によって屋外側形材２１Ａと屋内側形材２１Ｂとに画成されている。屋内側形材２１Ｂは、その屋内外方向Ｘ１の長さが屋外側形材２１Ａの屋内外方向Ｘ１の長さより長く設けられている。
なお、方立形材２１とガラス取付部２２との屋内外方向Ｘ１の長さの比率、及び屋外側形材２１Ａと屋内側形材２１Ｂの屋内外方向Ｘ１の長さの比率は、複層ガラス３の厚さとガラス取付部２２の屋内外方向Ｘ１の長さによって変更可能に構成されている。
【００３０】
方立形材２１は、図１の紙面左側に示されるように屋内外方向Ｘ１に分割された構成や、単一の部材て構成されていてもよい。分割された方立形材２１は、屋外側形材２１Ａに屋内外に二分割する連結部２１ａが設けられている。この連結部２１ａは、嵌め合いやねじ止めにより分割されている屋外側形材２１Ａを連結している。
なお、目地Ｍには、分割されている屋外側形材２１Ａのうち外壁２１２の分割先端部分に接するようにシール材２３が設けられていてもよい。
【００３１】
外壁２１２の目地側の外面２１２ａには、図２に示すように、第１係止突部２４（突起）と、第１係止突部２４よりも屋内側に配置される第２係止突部２５と、が設けられている。第１係止突部２４と第２係止突部２５は、隣り合う連窓方立２、２同士の間に外壁２１２の外面２１２ａから突出した状態で配置される。
【００３２】
第１係止突部２４は、外壁２１２の外面２１２ａにおける屋内外方向Ｘ１で仕切壁２１５の位置で上下方向Ｘ３に延びて設けられ、外面２１２ａから他方の連窓方立２の外壁２１２側に向けて突出し、その突出先端から屋内側に向けて直角に折れた保持片２４ａを有した形状となっている。第１係止突部２４は、保持片２４ａが後述する調整部材４の間隔保持部４１２の保持凹部４１２ｃに差し込まれた状態で保持される。
【００３３】
第２係止突部２５は、外壁２１２の外面２１２ａにおける屋内側壁２１４寄りの位置で上下方向Ｘ３に延びて設けられている。第２係止突部２５は、外面２１２ａから左右方向Ｘ２に離れるに従い屋内側に向けて傾斜した形状となっている。第２係止突部２５は、後述する調整部材４の固定部４１３が屋外側に当接され、かつ屋内側に固定具４２が固定される。
第１係止突部２４と第２係止突部２５は、目地巾が最小となったときでも、連窓方立２、２同士の間で互いに干渉しないように間隔をあけて配置される突出長に設定されている。
【００３４】
第２係止突部２５は、図３に示すように、上下方向Ｘ３の一部に切欠き開口２５ａとねじ開口２５ｂとが形成されている。切欠き開口２５ａは、調整部材４の支持部材４１（後述する）を第２係止突部２５の屋内側から通過させて屋外側に進入させる入口となっている。ねじ開口２５ｂは、調整部材４の固定具４２（後述する）を支持部材４１に固定するための固定ねじ４２２が挿通される。
【００３５】
調整部材４は、図１に示すように、隣り合う連窓方立２、２同士を、連窓方立２、２同士の間の目地巾Ｄ（図２参照）を調整した状態で連結する目地巾調整機構である。さらに調整部材４は、連窓方立２、２同士の間に設けられ、複層ガラス３よりも屋内側に配置され、かつ連窓方立２の屋内側の屋内側壁２１４の内側面２１４ａよりも屋外側に位置している。調整部材４は、目地Ｍにおいて上下方向Ｘ３の複数箇所に設けられ、とくに上下方向Ｘ３の中央部には必ず配置されるように構成されている。
【００３６】
図１に示すように、調整部材４は、一対の連窓方立２の第１係止突部２４に係止可能な支持部材４１と、支持部材４１に対して一対の連窓方立２の第２係止突部２５を挟んで固定される固定具４２と、支持部材４１を連窓方立２、２同士の間に仮置きした状態で位置決めするように連窓方立２の第２係止突部２５に引っ掛けて係止する位置決め部材４３（掛止部）と、を備えている。
【００３７】
図２、図４〜図６に示すように、支持部材４１は、平板状の支持板４１１と、支持板４１１の一端に設けられ目地巾に合わせた位置で第１係止突部２４を保持可能に設けられた保持凹部４１２ｃを形成した間隔保持部４１２と、支持板４１１の他端に設けられ固定具４２が固定される固定部４１３と、を有している。
【００３８】
支持部材４１は、配置された隣り合う連窓方立２、２同士の間で、間隔保持部４１２を屋外側に向けた状態で、第１係止突部２４と第２係止突部２５との間に支持板４１１が位置するように設けられる。支持部材４１は、連窓方立２、２同士の間で屋内外方向Ｘ１に移動可能に設けられ、かつ屋内外方向Ｘ１の所定連結位置で連窓方立２の方立形材２１に固定可能に設けられている。
【００３９】
支持板４１１の板面は、方立形材２１の外壁２１２の外面２１２ａと略平行に配置される。
支持板４１１は、板面に直交する方向から見た左右方向Ｘ２の幅寸法は、任意に設定することができる。支持板４１１の屋内側の内端縁４１１ｂには、後述する固定部４１３に形成された雌ねじ４１３ｂの屋外側に位置する部分にねじ先端部が進入可能な切欠部４１１ｃ（図４参照）が形成されている。
【００４０】
間隔保持部４１２は、支持板４１１の屋外側の外端縁４１１ａの全体にわたって延在している。間隔保持部４１２は、支持板４１１の外端縁４１１ａから屋外方向に向けて互いに広がるように延びる一対の保持片４１２Ａ、４１２Ａから形成されている。
一対の保持片４１２Ａは、外端縁４１１ａから屋外側に向かうに従い漸次、一対の保持片４１２Ａが互いに離間する方向に延びる傾斜部４１２ａと、傾斜部４１２ａの端部から屋外方向に向けて突出する規制部４１２ｂと、を有している。
【００４１】
一対の保持片４１２ａ、４１２ａには、屋内側に凹む凹状の保持凹部４１２ｃが形成されている。この保持凹部４１２ｃには、図７（ａ）、（ｂ）に示すように、隣り合う連窓方立２、２のそれぞれから目地Ｍに突出する一対の第１係止突部２４、２４の両方の保持片２４ａ、２４ａが目地巾Ｄに合わせた間隔をもって屋外側から差し込まれた状態で保持される。
対向する規制部４１２ｂ、４１２ｂ同士の間隔は、図７（ａ）に示す最小目地巾Ｄ１と図７（ｂ）に示す最大目地巾Ｄ２のときに、保持片２４ａ、２４ａが差し込み可能な寸法に設定されている。
【００４２】
固定部４１３は、支持板４１１の屋内側の内端縁４１１ｂの全体にわたって延在し、屋内側に開口して内端縁４１１ｂに沿うスリット４１３ａが形成された筒部４１３Ａを有している。
筒部４１３Ａの内面には、内端縁４１１ｂに沿う方向の所定位置で、かつスリット４１３ａに対向する位置に筒部４１３Ａを貫通する雌ねじ４１３ｂが形成されている。筒部４１３Ａのスリット４１３ａの両側の縁部には、第２係止突部２５と同じ傾斜角度をなす傾斜面４１３ｃが形成されている。
【００４３】
固定具４２は、図２及び図４に示すように、第２係止突部２５に対して屋内側から支持部材４１の固定部４１３を固定するための部材である。固定具４２は、ブロック状をなし、一方の面に一対の連窓方立２のそれぞれの第２係止突部２５に当接可能な山形状に凹んだ当接受部４２ａが形成されている。当接受部４２ａの傾斜角度は、第２係止突部２５の傾斜角度と一致している。
【００４４】
固定具４２には、他方の面４２ｂから当接受部４２ａ側に向けて貫通孔４２１が形成されている。貫通孔４２１には固定ねじ４２２が挿入可能である。固定具４２は、貫通孔４２１が支持部材４１の雌ねじ４１３ｂと一致する位置に位置決めして、固定具４２の屋内側から固定ねじ４２２を挿入して前記雌ねじ４１３ｂ（図６参照）に螺合させることで、支持部材４１が一対の連窓方立２、２に固定される。
【００４５】
位置決め部材４３は、固定部４１３における支持部材４１の内端縁４１１ｂに沿う方向の一端に設けられている。位置決め部材４３は、支持部材４１の屋内側端部（固定部４１３の筒部４１３Ａの屋内側端部）より屋内側に突出するように、ねじ４３１により筒部４１３Ａに螺合することにより固定されている。
【００４６】
次に、上述した連窓構造の目地巾調整機構を用いた目地巾調整方法について、図面を用いて説明する。
図１に示すように、隣り合う一対の複層ガラス３を有する窓ユニットを並設して、隣り合う連窓方立２、２を構築する。
【００４７】
その後、図８に示すように、連窓方立２，２同士を連結するための調整部材４を、連窓方立２、２同士の間に形成される目地Ｍに屋内側から差し込み、連窓方立２、２同士の間で、かつ複層ガラス３よりも屋内側の位置に仮置きする。具体的には、連窓方立２の方立形材２１に形成される第２係止突部２５の切欠き開口２５ａから、調整部材４における支持部材４１に位置決め部材４３を取り付けた状態で、連窓方立２、２同士の間の屋内側から通過させて屋外側の所定位置に進入させる。つまり、支持部材４１を切欠き開口２５ａから第２係止突部２５の屋外側に進入させ（矢印Ｅ１方向）、その後、支持部材４１を下向き（矢印Ｅ２方向）に落とし込むように移動させる。このとき支持部材４１は、間隔保持部４１２を屋外側とし、さらに位置決め部材４３を上側に向けた姿勢で第２係止突部２５の屋外側に進入される。
【００４８】
支持部材４１の屋外側に設けられる間隔保持部４１２の保持凹部４１２ｃには、隣り合う連窓方立２、２のそれぞれにおける方立形材２１の第１係止突部２４の保持片２４ａ、２４ａが差し込まれた状態で、これら保持片２４ａ、２４ａによって屋外側への移動が規制された状態となる。そして、支持部材４１は、位置決め部材４３が屋内側に向けて突出しているので、下方に落とし込むことで、位置決め部材４３が切欠き開口２５ａの上向きの端部に上方から当接して引っ掛かった状態で係止される。このときに、支持部材４１は、固定部４１３の傾斜面４１３ｃが第２係止突部２５の屋外側の斜面に沿って下方に案内される。
【００４９】
次に、図１に示すように、隣り合う連窓方立２、２を所定の目地巾Ｄで位置決めする。そして、図７（ａ）、（ｂ）に示すように、位置決めされた隣り合う連窓方立２、２の第１係止突部２４の保持片２４ａに支持部材４１の間隔保持部４１２の保持凹部４１２ｃを係止させて、支持部材４１の位置を調整する。
なお、間隔保持部４１２には傾斜部４１２ａが形成されており、目地巾Ｄに合わせて決まる互いの間隔が決まる一対の保持片２４ａ、２４ａに合わせて傾斜部４１２ａを当接位置が変わる。そのため、支持部材４１も保持片２４ａ、２４ａの間隔に合わせて屋内外方向Ｘ１に移動して位置決めされる。
【００５０】
その後、図４及び図８に示すように、位置決めされた支持部材４１に対して、第２係止突部２５の屋内側から固定具４２を当接させて固定ねじ４２２で固定する。これにより、調整部材４によって連窓方立２、２が所定の目地巾Ｄを確保した状態で連結される。そして、図１に示すように、調整部材４によって目地巾Ｄが調整された連窓方立２、２同士を連結した後、目地Ｍにおける屋内端部に屋内側壁２１４の面一となるようにシール材２６Ａを設けることで、目地部分の施工が完了となる。
【００５１】
次に、本実施形態による連窓構造の調整部材４、及び調整部材４を使用した目地巾調整方法の作用について説明する。
本実施形態では、図１に示すように、連窓方立２、２同士の間の屋内側に目地巾Ｄを調整できる調整部材４が配置されるので、屋内側からのみで目地巾Ｄを調整することができる。そのため、連窓方立２，２の屋外側に回り込んで目地巾Ｄを調整して双方の連窓方立２，２同士を連結するという手間と時間のかかる作業が不要となるので、作業効率を向上させることができる。
【００５２】
また、本実施形態によれば、複層ガラス３よりも屋内側に目地Ｍを形成させた状態で、隣り合う連窓方立２，２を配置することができる。すなわち、目地Ｍが連窓方立２の屋内側壁２１４の内側面２１４ａまで配置される構成となるため、屋内側から見て隣り合う連窓方立２、２のそれぞれの屋内側の屋内側壁２１４の内側面２１４ａと目地Ｍの隙間が見える状態となり、隣り合って連結される連窓方立２がシャープに見える印象をもたせることができ、意匠性の向上を図ることができる。
【００５３】
また、本実施形態では、調整部材４は目地Ｍの内側面２１４ａ側よりも屋外側の奥側に配置される。すなわち、隣り合って連結される連窓方立２、２の内側面２１４ａ同士の間の目地部分に、屋外側に凹む凹部が形成されるので、内側面２１４ａのうち連窓方立２、２同士が対向する周縁部がより明瞭に見えるようになり、意匠性をより向上させることができる。
【００５４】
また、本実施形態では、図８に示すように、隣り合う連窓方立２，２同士を所定の目地巾Ｄで配置した後に、調整部材４の位置決め部材４３を一方の連窓方立２に形成された第２係止突部２５に引っ掛けて係止することができる。そして、位置決め部材４３を第２係止突部２５に係止させた状態で連窓方立２、２同士の間に調整部材４を配置させることができ、その後に、調整部材４によって所定の目地巾Ｄに調整された連窓方立２，２同士を連結することができるから、作業を簡単に行うことができる。
【００５５】
また、本実施形態では、調整部材４が連窓方立２、２同士の間で屋内外方向Ｘ１に移動可能に設けられ、かつ屋内外方向Ｘ１の所定連結位置で連窓方立２、２に固定可能に設けられているので、調整部材４の屋内外方向Ｘ１へ前後移動させることで、隣り合う連窓方立２，２同士の間の目地巾Ｄを所定の目地巾Ｄの位置で位置決めして固定することができる。
【００５６】
このように本実施形態の連窓構造の目地巾調整機構、及び目地巾調整方法によれば、連窓方立２、２同士の間の目地巾Ｄを調整して連結する作業効率を向上させることができ、かつ優れた意匠性を実現できる。
【００５７】
以上、本発明による連窓構造の目地巾調整機構、及び目地巾調整方法の実施形態について説明したが、本発明は上記の実施形態に限定されるものではなく、その趣旨を逸脱しない範囲で適宜変更可能である。
【００５８】
例えば、本実施形態では、目地Ｍにおける屋内端部及び屋外端部にそれぞれシール材２６Ａ、２６Ｂを設けた構成としているが、これらシール材２６Ａ、２６Ｂを省略することも可能である。例えば図９に示す変形例のように、調整部材４（目地巾調整機構）の固定具４２の屋内側に着脱可能なカバー部材４４を設けた構成としてもよい。カバー部材４４は、屋内外方向Ｘ１を遮断するものである。この場合には、屋内側から連窓方立２、２同士の間の調整部材４（ここでは固定具４２）が直接見えてしまうことがなく、カバー部材４４によって隠された状態となるので、見映えが良好となるうえ、調整部材４に屋内側から直接触れることがないので、誤って調整部材４による連窓方立２、２同士の連結状態を解除してしまうことを防止できる。
【００５９】
また、連窓方立２における方立形材２１の形状、屋外側形材２１Ａと屋内側形材２１Ｂの形状や寸法などの構成は適宜変更することが可能である。さらに、方立形材２１に設けられる第１係止突部２４と第２係止突部２５の取り付け位置、突出寸法、形状等の構成についても、例えば採用するガラスの大きさ等や設定する目地巾に応じて変更可能である。また、本実施形態では、位置決め部材４３が支持部材４１に対してねじ４３１によって固定された別体で設けられているが、この位置決め部材４３が支持部材４１と一体で設けられていてもよい。
要は、調整部材４が連窓方立２、２同士の間で、複層ガラス３よりも屋内側に配置されていればよいのであって、屋内側より調整部材４を取り付けて目地巾を調整する作業が行えるように構成されていればよいのである。
【００６０】
さらに、調整部材４の構成に関しても、上述した実施形態に限定されることはなく、変更可能である。例えば、支持部材４１の支持板４１１の寸法や間隔保持部４１２の形状についても変更してもよい。また、本実施形態では、支持部材４１を隣り合う連窓方立２、２に対して位置決めした後に固定する構造として、第２係止突部２５の屋内側に固定具４２を設けて固定ねじ４２２で支持部材４１の固定部４１３に螺合させて固定する構成としているが、他の固定手段を採用してもよい。例えば、固定具４２を省略して、固定ねじ４２２を使用して直接、固定部４１３に固定する構成であってもよい。
【００６１】
その他、本発明の趣旨を逸脱しない範囲で、上記した実施形態における構成要素を周知の構成要素に置き換えることは適宜可能である。
【符号の説明】
【００６２】
１  カーテンウォール
２  連窓方立
３  複層ガラス
４  調整部材（目地巾調整機構）
２１  方立形材
２２  ガラス取付部
２４  第１係止突部
２４ａ  保持片
２５  第２係止突部（突起）
４１  支持部材
４２  固定具
４３  位置決め部材（掛止部）
４４  カバー部材
２１２  外壁
４１１  支持板
４１２  間隔保持部
４１２ｃ  保持凹部
４１３  固定部
４２２  固定ねじ
Ｄ  目地巾
Ｍ  目地
Ｘ１  屋内外方向
Ｘ２  左右方向
Ｘ３  上下方向
【図１】
2019173432.tif 000003
【図２】
2019173432.tif 000004
【図３】
2019173432.tif 000005
【図４】
2019173432.tif 000006
【図５】
2019173432.tif 000007
【図６】
2019173432.tif 000008
【図７】
2019173432.tif 000009
【図８】
2019173432.tif 000010
【図９】
2019173432.tif 000011